(57)【要約】【課題】従来の照明装置は、ランプとチューブとをキャップ部に装着する際に、ランプとチューブとの間にパッキンが設けられていたため、チューブとランプの装着が煩雑だった。【解決手段】本発明のキャップ部品は、第１のチューブの内径以下の外径を有し、ランプを挿通する第１のチューブ挿通部２３と、第１のチューブの端部を第１のチューブ挿通部２３の外周にて突き当てて第１のチューブ挿通部２３が第１のチューブに挿通されることを停止させる第１の突き当て部２９とを備え、第１のチューブにランプを通した後、第１のチューブの端部が第１の突き当て部２９に突き当たるまで挿通させてからランプの口金ピンをソケットに接続させ、キャップ部品をソケット本体１に固定する。固定することによってキャップ部パッキン３は、ランプに密着する。【選択図】図２
2007207722.tif 000002
【特許請求の範囲】
【請求項１】
筒状のランプと、上記筒状のランプを覆う第１のチューブとをソケットに取り付けるキャップ部品において、
上記ランプをスライド可能に挿通するとともに、上記第１のチューブにスライド可能に挿通される第１の環状挿通部と、
上記第１の環状挿通部が上記第１のチューブに挿通される場合に、挿通される第１のチューブを停止させる第１の停止部とを備え、
上記第１の環状挿通部は、上記第１のチューブの内径以下の外径を有し、
上記第１の停止部は、上記第１のチューブの端部を上記第１の環状挿通部の外周にて突き当てる第１の突き当て部を有する
ことを特徴とするキャップ部品。
【請求項２】
上記キャップ部品は、さらに、上記ランプと第１のチューブとに対して上記第１の環状挿通部を上記ランプの端部の方向に距離Ｘだけスライドさせて、ランプの端部にあるソケットに上記第１の環状挿通部を固定する固定部を備え、
上記第１の環状挿通部は、上記第１のチューブに挿通する方向に上記距離Ｘの２倍の長さを超える長さを有することを特徴とする請求項１記載のキャップ部品。
【請求項３】
上記キャップ部品は、さらに、上記第１の環状挿通部の外周の一部に配置され、上記第１のチューブの内径以上の外径を有する第１のリング状パッキンを備えたことを特徴とする請求項１または２記載のキャップ部品。
【請求項４】
上記キャップ部品は、さらに、上記第１の環状挿通部の外周に、上記第１のチューブの外径以上の内径を有する円筒部を備えたことを特徴とする請求項１から３のいずれかに記載のキャップ部品。
【請求項５】
上記キャップ部品は、さらに、上記第１のチューブの外径よりも大きな内径を有する第２のチューブに挿通される第２の環状挿通部と、
上記第２の環状挿通部が上記第２のチューブに挿通される場合に、挿通される第２のチューブを停止させる第２の停止部とを備え、
上記第２の環状挿通部は、上記第２のチューブの内径以下の外径を有し、
上記第２の停止部は、上記第２のチューブの端部を突き当てる第２の突き当て部を有する
ことを特徴とする請求項１から４のいずれかに記載のキャップ部品。
【請求項６】
上記キャップ部品は、さらに、上記第２の環状挿通部の外周の一部に配置され、上記第２のチューブの内径よりも大きい外径を有する第２のリング状パッキンを備えたことを特徴とする請求項５記載のキャップ部品。
【請求項７】
上記請求項１から６いずれかに記載のキャップ部品と、
上記ランプを取り付けるとともに、上記環状挿通部が固定される被固定部を有するソケット部品と、
上記キャップ部品とソケット部品との間にあって、上記ランプの端部を覆う弾性変形可能なパッキンと
を備えたことを特徴とするソケット。
【請求項８】
上記請求項７記載のソケットを用いたことを特徴とする照明装置。
【請求項９】
筒状のランプをスライド可能に挿通するとともに、上記チューブにスライド可能に挿通される環状挿通部と、
上記環状挿通部が上記チューブに挿通される場合に、挿通されるチューブを停止させる停止部と
上記ランプの端部にあるソケットに上記環状挿通部を固定する固定部とを備えたキャップ部品を、ソケットに取り付けるキャップ部品の取り付け方法において、
上記チューブにランプを通す工程と、
上記チューブに通したランプの端部から上記チューブの端部が上記環状挿通部の外周にて上記停止部に突き当たるまで、上記チューブに上記環状挿通部を挿通する工程と、
上記環状挿通部に挿通したランプの端部を上記ソケットに取り付ける工程と、
上記環状挿通部に上記チューブを挿通したキャップ部品の上記固定部を上記ソケットに固定する工程と
を有することを特徴とするキャップ部品の取り付け方法。
【発明の詳細な説明】
【技術分野】
【０００１】
この発明は、筒状のランプと、筒状のランプを覆う第１のチューブとをソケットに取り付けるキャップ部品に関する。また、上記キャップ部品をソケットに取り付ける方法に関する。また、上記キャップ部品と上記キャップ部品を固定するソケット部品とを備えるソケットに関する。また、上記ソケットを用いる照明装置に関する。
【背景技術】
【０００２】
従来、直管形蛍光ランプが露出している照明装置を低温環境で使用した場合、ランプの表面温度が低く、発光効率の良い温度まで上昇しにくいため、十分な明るさが得られなかった。そこで、特開２００１−１０２０００号公報（特許第３５７５３５３号）による発明、及び、特開２００４−３２７１７９号公報による発明では、透光性のあるチューブでランプを覆って空気層を設けることにより、この空気層がランプの表面温度の低下を抑制し、十分な明るさを得ることを可能にした。
【特許文献１】特開２００１−１０２０００号公報
【特許文献２】特開２００４−３２７１７９号公報
【発明の開示】
【発明が解決しようとする課題】
【０００３】
上記したような透光性のあるチューブでランプを覆って空気層を設けることにより、この空気層がランプの表面温度の低下を抑制する照明装置では、低温環境でこの照明装置を使用する場合において、ソケット内部やランプへの防水構造を持ちつつ、チューブと直管形蛍光ランプとの装着が手間であるという問題があった。
【０００４】
（１）特開２００１−１０２０００号公報（特許第３５７５３５３号）によれば、照明装置に搭載したソケットはつき合わせ式であり、ランプとチューブをランプ軸方向に可動させる操作の手間がある（問題点１）。また、その可動分だけソケットはランプ軸方向の幅が大きくなり、しいては照明装置が大型化する課題があった（問題点２）。
また、ランプとチューブの空気層にはソケット前面にパッキンがあり侵水を防ぐことが可能であるが、ソケット内部への防水構造は取られておらず、結露した場合にソケット内部に侵水し絶縁低下や短絡するおそれがあった（問題点３）。
さらに、ランプとチューブの間には空気層を設ける必要があるため、前記ランプとチューブの両端部にはランプ外径とチューブ内径の間に、ランプがチューブ内で位置ズレが発生しないように位置決めとなる部材を取りつける手間があった（特開２００１−１０２０００号公報（特許第３５７５３５３号）ではヒータ部材で位置決めを行っている）（問題点４）。
【０００５】
（２）特開２００４−３２７１７９号公報によれば、防水ソケットを使用しているためソケット内部への侵水を防ぐことが可能であるが、ランプと内側チューブとの間には、ランプと内側チューブとの間に密着する弾性変形可能（シリコン）なパッキンを装着させ、ランプがチューブ内で位置ズレが発生しないようにしている。このため、ランプとチューブをソケットに装着させるとき、チューブとランプとによりパッキンをはさみ込むようにチューブとランプとを装着させる作業が必要であるため、ランプとチューブの装着が手間であった（問題点５）。
【０００６】
本願発明は、上記した５つの問題点を解決するため、低温環境で使用しても、結露した場合はソケット内部及びランプへ侵水することがないキャップ部品、ソケット、照明装置を提供することを目的とする。また、チューブを使用することによりランプの表面温度を発光効率のよい温度に維持するとともに、ランプ及びチューブの装着が簡単にできるキャップ部品、上記キャップ部品とランプを取り付けるとともに上記キャップ部品が取り付けられるソケット部品とを備えるソケット、及び、上記ソケットを使用した照明装置を提供することを目的とする。また、上記キャップ部品を上記ソケットに取り付ける取り付け方法を提供することを目的とする。
【課題を解決するための手段】
【０００７】
本発明に係る筒状のランプと、上記筒状のランプを覆う第１のチューブとをソケットに取り付けるキャップ部品は、
上記ランプをスライド可能に挿通するとともに、上記第１のチューブにスライド可能に挿通される第１の環状挿通部と、
上記第１の環状挿通部が上記第１のチューブに挿通される場合に、挿通される第１のチューブを停止させる第１の停止部とを備え、
上記第１の環状挿通部は、上記第１のチューブの内径以下の外径を有し、
上記第１の停止部は、上記第１のチューブの端部を上記第１の環状挿通部の外周にて突き当てる第１の突き当て部を有する
ことを特徴とする。
【発明の効果】
【０００８】
本発明におけるキャップ部品は、第１の突き当て部を備えることにより、第１のチューブをキャップ部品に装着することを容易に行うことが出来る効果がある。また、キャップ部品は、第１の環状挿通部を備えることにより、ランプが第１のチューブ内で位置ずれすることを防ぎ、ランプと第１のチューブとの間に空気層が設けられて、ランプの表面温度は発光効率のよい温度を維持することが可能となる効果がある。
【発明を実施するための最良の形態】
【０００９】
実施の形態１．
この実施の形態では、第１の環状挿通部と、第１の停止部とを備えるキャップ部品について一例を説明する。
図１は、この実施の形態のキャップ部が固定されたソケット部品を備えるソケット本体を、ランプの口金ピンと接触する接触片付近で、ランプ装着方向に対して垂直な断面を示した図である。
図２は、この実施の形態のキャップ部と、キャップ部を固定するソケット部品とを備えるソケット本体を、ランプ装着方向の断面を示した図である。図２のキャップ部２には、ランプ５と第１のチューブ６とはまだ挿通されていない。
図３は、第１のチューブの内径を示す図である。
【００１０】
図１において、ソケット本体１は、ランプ及びソケット本体１への侵水を防止する防水型のランプソケットであって、キャップ部品の一例であるドカン状のキャップ部２を最外側に固定する。以下、キャップ部品をキャップ部２と称する。ただし、キャップ部品と称する場合もある。また、ソケット本体１は、最内側にランプの口金ピンを接続する接触片４を備える。図２において、キャップ部品の一例であるドカン状のキャップ部２は、ランプ挿入側と逆面側とを有し、ランプ挿入面２８側の外径Ｄ１は、図３に示した円筒状の第１のチューブ内径Ｅよりも小さい。そして、キャップ部２は、ランプ挿入面２８側に、第１のチューブ６に挿通できるとともに、第１のチューブ６に挿通した後、第１のチューブ６の内側をスライド可能である第１のチューブ挿通部２３（第１のチューブ挿通部２３は、後述するランプ挿通部２２とともに第１の環状挿通部を構成する要素の一例である）をもつ。また、ランプ挿入面２８側の逆面２８１側（ランプ挿出面）の外径Ｄ２は、前記第１のチュ−ブ内径Ｅよりも大きい。そして、キャップ部２は、逆面２８１側に、第１のチューブ６が挿通不可能な第１のチューブ停止部２４（第１の停止部の一例）をもつ。すなわち、第１のチューブ内径Ｅとランプ挿入面２８側の外径Ｄ１と逆面２８１側の外径Ｄ２との関係は、Ｄ１＜Ｅ＜Ｄ２となる。
【００１１】
また、キャップ部２は、ソケット本体１にキャップ部を固定する際に使用するキャップ部ねじ込み部２１（固定部の一例）を備え、ソケット本体１のソケット部品は、キャップ部ねじ込み部２１を取り付ける本体ねじ込み部１１（被固定部の一例）と、筒状のランプの一例である直管形蛍光ランプ（以下、「ランプ」と称する）の口金ピンと接触する接触片４とを備える。キャップ部ねじ込み部２１は雌型状のねじであり、本体ねじ込み部１１は雄型状のねじであり、これら２つのねじを接続することにより、キャップ部２がソケット本体１に固定される。
【００１２】
また、キャップ部２の第１のチューブ停止部２４は、第１の突き当て部２９を備え、第１の突き当て部２９は、「（Ｄ２  −  Ｄ１）／２」の高さを有して、第１のチューブ挿通部２３が第１のチューブ端面６１より挿通されると、第１のチューブ端面６１が第１の突き当て部２９にぶつかり、第１のチューブ端面６１がこれ以上逆面２８１側に挿通されることを防いできる。また、第１の突き当て部２９は、第１のチューブ挿通部２３の外周上に設けられ、第１のチューブ挿通部２３の外周にて第１のチューブ端面６１を突き当てる。
【００１３】
また、ソケット本体１はランプ挿通部２２（ランプ挿通部２２は、前述した第１のチューブ挿通部２３とともに第１の環状挿通部を構成する要素の一例）から挿通したランプ端部を抜けにくくするとともに、キャップ部２の内側とランプとの間の侵水を防止する弾性変形可能なキャップ部パッキン３を備えた。そして、キャップ部パッキン３はランプ挿入面２８側に抜け止め部３２を備え、第１のチューブ挿通部２３は、ランプ挿入面２８側の内側にひっかけ部３１を備える。キャップ部パッキン３は、ランプをランプ挿通部２２から挿入する前に、キャップ部２にセットされ、抜け止め部３２とひっかけ部３１とがひっかかり合って、キャップ部から抜けにくくしている。ランプをランプ挿通部２２からキャップ部に挿通するとランプの挿通にともないキャップ部パッキン３がランプ挿通方向に移動するが、ひっかけ部３１に抜け止め部３２がひっかかるので、キャップ部パッキン３がキャップ部２の逆面２８１側へ移動して抜けることを防止する。
また、ソケット本体１は、キャップ部２がソケット本体１に固定される際に、キャップ部パッキン３の先端部が挿入されるパッキン挿入穴３１０をソケット部品として有する。
【００１４】
図４はランプ５の両端をそれぞれ、図２に示したキャップ部２のランプ挿通部２２に通し、第１のチューブ６の両端がそれぞれキャップ部２の第１のチューブ挿通部２３を挿通した状態を示す図である。
図４のように、キャップ部２にランプ５と第１のチューブ６とが装着されるには、まずはじめに、第１のチューブ６にランプ５を通す。次に、第１のチューブ６の端部からキャップ部２の第１のチューブ挿通部２３をスライドさせて挿通するが、このとき、ランプ５は、キャップ部２のランプ挿入面２８（図２に図示あり）からランプ挿通方向に向けてランプの端部を挿入する。キャップ部パッキン３は、ランプをキャップ部２に挿入する際には、キャップ部２にセットされているが、ランプ端部がキャップ部パッキン３を移動する時は、まだキャップ部パッキン３はランプ５の側面に密着していないので、ランプ５はスムーズにキャップ部内を移動できる。
【００１５】
図５は、ランプ５と第１のチューブ６とを挿通したキャップ部２をソケット本体１に固定する前の状態を示す図である。
キャップ部２をソケット本体１に固定するには、図４に示す状態からまずソケット本体１の接触片４にランプ５の口金ピンを取り付け（図５の状態）、その後、キャップ部ねじ込み部２１をソケット本体の本体ねじ込み部１１に取り付ければ、キャップ部２をソケット本体１に容易に取り付けることが可能である（図６：正規使用状態）。
図６は、キャップ部２がソケット本体１に取り付けられた状態（正規使用状態）を示す図である。
【００１６】
ここで、キャップ部パッキン３が変形することについて説明する。キャップ部２をソケット本体１に固定させるため、図５に示すようにキャップ部ねじ込み部２１を取り付け方向に距離Ｘだけ動かすと、第１のチューブ挿通部２３も同じ距離Ｘだけ取り付け方向に移動する。第１のチューブ挿通部２３が取り付け方向に動くと、キャップ部パッキン３も取り付け方向に動いて、キャップ部パッキン３の先端部分がソケット本体１のパッキン挿入穴３１０に挿入され、キャップ部パッキン３の先端部分がパッキン挿入穴３１０の壁に到達する。さらに、キャップ部パッキン３が取り付け方向に動かされると、キャップ部パッキン３が図６のように変形して、抜け止め部３２とひっかけ部３１とが強くかみ合う。
【００１７】
従って、従来技術のようにランプとチューブの間に密着する弾性変形可能（シリコン）なパッキン等を配置させる構造とは異なり、第１のチューブ６は第１のチューブ挿通部２３の一部と密着し、ランプ５はキャップ部２に挿通される際にはキャップ部パッキン３と密着しない。このため、容易に第１のチューブ６とランプ５とをキャップ部２に取り付けることが可能となる。しかも、キャップ部２をソケット本体１に固定するとキャップ部パッキン３が変形して、抜け止め部３２とひっかけ部３１とが強くかみ合うことにより、ランプ５が第１のチューブ６内で動くことを防止するので、ランプ５の位置ズレが発生せず、ランプ５と第１のチューブ６との間に空気層が設けられ、ランプの表面温度は発光効率の良い温度を維持することが可能である。
【００１８】
また、ランプ挿入面２８側の外径Ｄ１は、第１のチューブ６の内径Ｅよりも小さいと説明したが、第１のチューブ６が伸縮可能な材質で生成されている場合には、外径Ｄ１は内径Ｅと同じであってもかまわない（Ｄ１≦Ｅ＜Ｄ２）。これは、第１のチューブ６に第１のチューブ挿通部２３を挿通させる場合、第１のチューブ６が伸びるので、第１のチューブ挿通部２３を挿通できるためである。
【００１９】
この実施の形態では、直管形蛍光ランプと接続可能な接触金具（接触片４）を内部にもつランプソケット本体１と、前記本体のランプ当接面側に略円筒上に延びたねじ込み可能な本体ねじ込み部１１と、略円筒状でランプが挿通可能なランプ挿通部２２を持ち、前記本体ねじ込み部１１に対応してねじ込み可能なキャップ部ねじ込み部２１をもつキャップ部２と、キャップ部２にランプ５を挿通しランプ５をソケット本体１の接触金具に接続した後に、前記本体ねじ込み部１１とキャップ部ねじ込み部２１とを締めつけ、ランプ管壁部及びソケットのランプ当接面にランプ及びソケット内部への侵水を防ぐことを可能にしたキャップ部パッキン３を具備した防水型ランプソケット（以下ソケットと称す）を説明した。さらに、前記ソケットはランプの外径を覆った円筒状の第１のチューブ６をもつ照明装置で使用され、前記キャップ部２のランプ挿入面２８側の外径Ｄ１は、円筒状の第１のチューブ６の内径Ｅよりも小さく、第１のチューブ６に挿通できるとともに、挿通した第１のチューブ６内で移動可能である第１のチューブ挿通部２３をもち、前記ランプ挿入面２８側の逆面２８１側の外径Ｄ２は、前記第１のチュ−ブ６の内径Ｅよりも大きい、第１のチューブが挿通不可能な第１のチューブ停止部２４を持つことを特徴とするキャップ部品について説明した。
また、前記キャップ部品と、直管形蛍光ランプを取り付けるとともに、本体ねじ込み部１１を備えるソケット部品と、キャップ部とソケット部品との間にあって、ランプの端部を覆う弾性変形可能なキャップ部パッキン３とを備えたことを特徴とするソケットについて説明した。
また、前記ソケットを使用する照明装置について説明した。
【００２０】
上記したこの実施の形態で説明したキャップ部品、ソケット及び照明装置は、以下の効果を有する。
第１のチューブの内側に挿通される第１のチューブ挿通部の外径Ｄ１を、第１のチューブの内径Ｅ以下としたため、ドカン状の第１のチューブ挿通部を第１のチューブに容易に挿通できる。さらに、内径Ｅと外径Ｄ１とが等しい場合には、第１のチューブ６と第１のチューブ挿通部２３とが密着する。
また、第１のチューブ挿通部の外周上に第１のチューブ停止部を設け、第１のチューブ停止部が第１の突き当て部を有することにより、第１のチューブに挿通される動作を、第１のチューブの端部が第１の突き当て部に突き当たることにより止めることが出来る。このため、第１のチューブの端部が第１の突き当て部に突き当たるまで挿通すればよく、挿通動作を止める位置を気にすることなく、第１のチューブにキャップ部品を容易に装着できる。
また、キャップ部パッキンを備えたことにより、キャップ部に挿入したランプ端部を抜けにくくするとともに、キャップ部の内側とランプとの間の侵水を防止する。
また、ランプが第１のチューブ内で位置ずれすることを防ぐことができる。また、位置ずれを防ぐことより、ランプと第１のチューブとの間に空気層ができ、ランプの表面温度が発光効率のよい温度に維持できる。
【００２１】
実施の形態２．
この実施の形態では、第１のチューブ挿通部の長さについて説明する。
第１のチューブ６とランプ５とを取り付けたキャップ部２をソケット本体１に取り付ける場合、キャップ部ねじ込み部２１が取り付け方向に距離Ｘだけ移動する（図５）。そして、第１のチューブ挿通部２３も距離Ｘだけ取り付け方向に移動する（図５）。この移動にともない、第１の突き当て部２９に突き当たって停止している第１のチューブ６の端部は、第１の突き当て部２９より離れて、第１のチューブ挿通部２３から外れる状態に移行する。しかし、第１のチューブ挿通部２３の長さは、キャップ部２がランプ装着前位置の状態から、ランプをソケットに取りつけた後にグランドを締めつけた状態（キャップ部ねじ込み部２１と本体ねじ込み部１１とを締めつけた状態）、すなわち図６の正規使用状態まで移動した距離（Ｘ）の２倍を超える長さ（２Ｘ超）にした（図４、図５参照）ので、図６に示した正規使用状態で、第１のチューブ挿通部２３は移動距離（Ｘ）以上、第１のチューブに挿通されている。このため、ランプと第１のチューブの間に空気層を確実に保持でき信頼性の高いソケットを提供することができる。
【００２２】
また、このようなキャップ部２を固定したソケット、及び、このソケットを少なくとも１対使用する照明装置は、第１のチューブが一端のソケット側によっても、第１のチューブ６がキャップ部２から外れることがないので、信頼性の高い照明装置を提供することができる。
【００２３】
また、前記キャップ部２を固定したソケット、及びこのソケットを少なくとも１対使用した照明装置は、第１のチューブ６の長さを、図５，６に示すように、１対のキャップ部２がランプ装着前位置の状態で、第１のチューブ停止部前面（チューブ挿通部側）間の長さ（Ｌ）とした第１のチューブを使用する。
【００２４】
この実施の形態では、第１のチューブ挿通部２３の長さはキャップ部２がランプ装着前位置の状態から、ランプ５をソケット本体１に取りつけた後にキャップ部ねじ込み部２１と本体ねじ込み部１１とを締めつけた状態、すなわち正規使用状態まで移動した距離（Ｘ）よりも２倍を超える長さ（２Ｘ超）にしたことを特徴とするキャップ部２について説明した。
【００２５】
また、前記キャップ部２を固定したソケット、及びこのソケットを少なくとも１対使用した照明装置は、第１のチューブの長さを、１対のキャップ部がランプ装着前位置の状態で、第１のチューブ停止部前面（チューブ挿通部側）間の長さ（Ｌ）とした第１のチューブを使用したことを特徴とすることについて説明した。
【００２６】
上記したこの実施の形態で説明したキャップ部、ソケット及び照明装置は、以下の効果を有する。
第１のチューブ挿通部の長さは、キャップ部が取り付け方向に移動する距離Ｘの２倍の長さを超える。このため、第１のチューブ挿通部が取り付け方向に距離Ｘ移動しても、第１のチューブ挿通部が取り付け方向に距離Ｘ移動しても、第１のチューブと第１のチューブ挿通部とが外れることがなく、第１のチューブ挿通部は移動距離（Ｘ）以上、第１のチューブに挿通されているので、ランプと第１のチューブとの間に空気層を確実に保持でき、信頼性の高いソケットを提供することができる。
【００２７】
また、前記したキャップ部品を備えるソケット及び、このソケットを少なくとも１対使用した照明装置は、第１のチューブが一端のソケット側によっても、第１のチューブがキャップ部から外れることがないので、信頼性の高い照明装置を提供することができる。
【００２８】
実施の形態３．
この実施の形態では、第１のリング状パッキンを備えるキャップ部品について説明する。
図７は、この実施の形態のキャップ部と、キャップ部を固定するソケット部品とを備えるソケット本体を、ランプの口金ピンと接触する接触片付近で、ランプ装着方向に対して垂直な断面を示した図である。
図１との違いは、キャップ部２が第１のリング状パッキン７を備えことであり、第１のリング状パッキン７は、第１のチューブ６の内径Ｅ以上の外径を有する防水性のあるリング状パッキンである。また、第１のリング状パッキン７は、パッキン押さえ部品７１とキャップ部パッキン押さえ７２とにより固定されている点である。この他は、実施の形態１及び２のキャップ部２と同じである。
図８は、この実施の形態のランプの両端をそれぞれキャップ部のランプ挿通部に通し、第１のチューブの両端はそれぞれキャップ部の第１のチューブ挿通部を挿通する状態を示す図である。特に、第１のチューブ６の内径と第１のリング状パッキン７とが密着して、第１のチューブ６に第１のチューブ挿通部２３が挿通されていることを示す。
図９は、実施の形態３のランプと第１のチューブとを挿通したキャップ部をソケットに固定する前の状態を示す図である。
図１０は、実施の形態３のキャップ部２がソケット本体に取り付けられた状態（正規使用状態）を示す図である。
図９、図１０は、キャップ部２が第１のリング状パッキン７を備えている以外は、上記実施の形態１，２の図５、図６と同じである。
【００２９】
キャップ部パッキン押さえ７２にパッキン押さえ部品７１を取り付ける方法について説明する。
キャップ部パッキン押さえ７２は、第１のチューブ挿通部２３の一部を形成する部品と一体形成された部品である。上記したようにキャップ部２はドカン状の形状をしているため、図７に示す第１のチューブ挿通部２３の一部とキャップ部パッキン押さえ７２との段差部分は、ドカン状（筒状）の形状を有している。この段差部分に、第１のリング状パッキン７をはめ込む。そして、はめ込んだ第１のリング状パッキン７を挟み込むようにパッキン押さえ部品７１をキャップ部パッキン押さえ７２に取り付ける。例えば、パッキン押さえ部品７１とキャップ部パッキン押さえ７２とはそれぞれ、雄型と雌型のねじの形状をしており、これらのねじを締めつけることにより、第１のリング状パッキン７を固定する。第１のリング状パッキン７を固定した後は、パッキン押さえ部品７１と、第１のリング状パッキン７と、キャップ部パッキン押さえ７２と一体形成された第１のチューブ挿通部２３の一部とにより、第１のチューブ挿通部２３を形成する。上記したように第１のリング状パッキン７の外径は、第１のチューブ６の内径Ｅ以上であるため、第１のリング状パッキン７を固定したキャップ部２の第１のチューブ挿通部２３を第１のチューブ６に挿通させると、第１のチューブ６の内壁と第１のリング状パッキン７とが、図８のように密着する。
【００３０】
このように、キャップ部２の第１のチューブ挿通部２３に第１のチューブ６の内径Ｅ以上の大きい径で、前記キャップ部外径（第１のチューブ挿通部２３）上に配置した防水性のある第１のリング状パッキン７を備えたので、ランプ５と第１のチューブ６内との保温効果を高める効果が得られる。
【００３１】
ここで、図７のキャップ部２は第１のリング状パッキン７を境にパッキン押さえ部品７１とキャップ部パッキン押さえ７２との２つの部品に分割した構造にして、これら２つの部品にそれぞれ雄型と雌型のねじ込み部を設け、連結構造としている。しかし、これは一例であって、必ずしも２分割にする必要はない。また、ねじ込み部ではなく、ひっかけ部３１と抜け止め部３２のように、パッキン押さえ部品７１とキャップ部パッキン押さえ７２とが引っかかりあう構造にしてもかまわない。
【００３２】
例えば、１つの部品で構成するものとして、キャップ部２の第１のチューブ挿通部２３に溝を設けて、この溝に第１のリング状パッキン７をはめ込む方法がある。
図１１は、この実施の形態の１部品で第１のリング状パッキンを配置するキャップ部の一例を示す図である。（ａ）は、第１のリング状パッキンを配置した後を示し、（ｂ）は、第１のリング状パッキンを配置する前を示す。
図１２は、図１１に示したキャップ部を使用するソケットにおいて、ランプの両端をそれぞれキャップ部のランプ挿通部に通し、第１のチューブの両端にはそれぞれキャップ部の第１のチューブ挿通部を挿通した状態を示す図である。
【００３３】
図１１に示すように、第１のチューブ挿通部２３には、第１のリング状パッキン７をはめ込む溝７３が設けられ、第１のチューブ挿通部２３は、第１のチューブ停止部２４と一体化した一部品によって構成する。
このように一部品によって第１のチューブ挿通部２３を構成した場合でも、第１のリング状パッキン７の外径は、第１のチューブの内径Ｅ以上であるため、第１のリング状パッキン７を取り付けたキャップ部２の第１のチューブ挿通部２３を第１のチューブ６に挿通させると、第１のチューブ６の内壁と第１のリング状パッキン７とが、図１２のように密着する。このため、第１のリング状パッキン７をはめ込む溝７３を第１のチューブ挿通部２３に設ける構造にしても、図７に示したような２つの部品の連結構造とした第１のチューブ挿通部２３と同様の効果を得ることができる。
【００３４】
また、図７及び図１１に示したキャップ部を備えるソケット、及びこのソケットを少なくとも１対使用した場合、１対の前記第１のリング状パッキンは正規使用状態で、それぞれ第１のチューブ内径と密着可能であるため、保温効果が得られる他、第１のチューブが片側のソケット側へ片寄りにくくなる。
【００３５】
この実施の形態では、キャップ部の第１のチューブ挿通部に第１のチューブの内径以上の大きい径で、前記キャップ部外径（第１のチューブ挿通部）上に配置した防水性のある第１のリング状パッキンを備えたことを特徴としたキャップ部を説明した。
【００３６】
また、前記キャップ部２を固定したソケット、及びこのソケットを少なくとも１対使用した照明装置は、第１のリング状パッキンが正規使用状態で、それぞれ第１のチューブ内径と密着可能にしたことを特徴とすることを説明した。
【００３７】
上記したこの実施の形態で説明したキャップ部、ソケット及び照明装置は、以下の効果を有する。
キャップ部の第１のチューブ挿通部に第１のチューブの内径以上の大きい径で、前記キャップ部外径（第１のチューブ挿通部）上に配置した防水性のある第１のリング状パッキンを備えたので、ランプと第１のチューブ内との保温効果を高める効果が得られる。
また、第１のチューブが片側のソケット側へ片寄りにくくなる効果がある。
【００３８】
実施の形態４．
この実施の形態では、円筒部を備えるキャップ部について説明する。
図１３は、第１のリング状パッキンを備えたキャップ部を使用する照明装置を示す図である。図１３に示すように、第１のチューブ６とランプ５とを取り付けたキャップ部２を備えるソケットであって、さらに、第１のリング状パッキン７をキャップ部２に設けたソケットを照明装置本体８に使用する。しかし、第１のチューブ６の端部や第１のリング状パッキン７が見えてしまうため、照明装置としての見栄えが悪くなり、デザイン性に欠ける。このため、キャップ部に円筒部を設けて、第１のチューブ６の端部や第１のリング状パッキン７が見えない構造にする。
【００３９】
図１４は、この実施の形態のキャップ部が固定されたソケット部品を備えるソケット本体１を、ランプの口金ピンと接触する接触片付近で、ランプ装着方向に対して垂直な断面を示した図である。図１４において、円筒部２５は、最外側に配置する。
図１５は、この実施の形態のキャップ部と、キャップ部を固定したソケット部品とを備えるソケット本体１の、ランプ装着方向の断面を示した図である。
図１５において、第１のチューブ挿通部２３は、パッキン押さえ部品７１とキャップ部パッキン押さえ７２とにより構成した上記した実施の形態３の図７に示した構造と同様である。さらに、この実施の形態のキャップ部は、第１のチューブ挿通部の外周に、第１のチューブ６の外径以上の内径を有する円筒部２５をキャップ部に図１５のように立設させたことを特徴とする点で、図７のキャップ部２とは異なる。図１５に示すキャップ部には、第１のチューブ６とランプ５とが既に装着済みであって、キャップ部はソケット本体１に固定されている。円筒部２５を設けた目的は、第１のチューブ６の端部を見えなくするとともに、第１のリング状パッキン７を見えなくすることである。このため、円筒部２５のランプ挿入面２８側（ランプ挿入面２８側は図２に図示あり）の円筒部端部２５ａは、キャップ部がソケット本体１に固定されているときの第１のリング状パッキン７の位置よりも、ランプ挿入面２８（ランプ挿入面２８側は図２に図示あり）側寄りにあるように形成する。
【００４０】
例えば、図５に示したように、キャップ部をソケット本体に固定させる場合、第１のチューブ挿通部２３が取り付け方向に距離Ｘだけ移動する。すると、取り付け終了後の第１のチューブ６の端部は、取り付けを開始する前の位置から取り付け方向とは逆の方向に距離Ｘ移動したようになる。そこで、円筒部２５の長さを、距離Ｘを２倍した長さを超える長さにすると、取り付け終了後の第１のチューブ６の端部が円筒部２５により隠されて見えなくなる。また、取り付け終了後に第１のチューブ６の端部付近にあるように設けた第１のリング状パッキン７も、円筒部２５により隠されて見えなくなる。
【００４１】
このような円筒部２５を備えるキャップ部を固定したソケット、及びこのソケットを使用する照明装置は、円筒部２５により第１のリング状パッキン７と第１のチューブ６の端部とが見えなくなるため、見栄えの良いソケット及び照明装置を提供できる。
【００４２】
また、図１５に示すキャップ部には、第１のチューブ６とランプ５とが既に装着済みであって、キャップ部はソケット本体１に固定されているため、第１のチューブ６の端部は、第１のリング状パッキン７と密着可能な部分にある。しかし、キャップ部をソケット本体に固定する前は、第１のチューブ６の端部は、第１の突き当て部２９に突き当たっている。
【００４３】
また、逆面２８１側（逆面２８１は図２に図示あり）の円筒部端部２５ｂは、第１のチューブ停止部２４を兼ねている。このため、逆面２８１側の円筒部端部２５ｂの内側（ソケット本体１にキャップ部を固定する際に本体ねじ込み部１１と接続する部分）には、図２に示した第１のチューブ停止部２４の内側のキャップ部ねじ込み部２１を設けている。従って、ソケット本体１は、図２と同様に本体ねじ込み部１１を備え、キャップ部をソケット本体１に固定する場合は、逆面２８１側の円筒部端部２５ｂの内側に設けたキャップ部ねじ込み部２１と本体ねじ込み部１１とを取り付ける。
【００４４】
この実施の形態では、第１のチューブ挿通部の外周に、内径が第１のチューブの外径以上の第１の円筒部をキャップ部に立設させたことを特徴とするキャップ部を説明した。
また、前記第１の円筒部の長さは距離（Ｘ）の２倍を超える長さ（２Ｘ超）で立設させたキャップ部を固定したソケットと、このソケットを少なくとも１対使用した照明装置について説明した。
【００４５】
上記したこの実施の形態で説明したキャップ部、ソケット及び照明装置は、以下の効果を有する。
キャップ部品は、第１のチューブ挿通部の外周に、内径が第１のチューブの外径以上の第１の円筒部をキャップ部に立設させたことを特徴としているので、第１のチューブの端部が隠れるので、意匠性の良いソケットを提供することが可能である。
また、前記第１の円筒部の長さが距離（Ｘ）の２倍を超える長さ（２Ｘ超）で立設させたキャップ部を固定したソケットと、このソケットを少なくとも１対使用した照明装置は、第１のチューブの端部が隠れるので、意匠性の良いソケット及び照明装置を提供することが可能である。さらに、第１のリング状パッキンが１対のソケットの片側に片寄っても、第１のパッキンの端部が見えないので、より意匠性をよくすることができる。
【００４６】
実施の形態５．
この実施の形態５では、キャップ部が第２のチューブに挿通される第２のチューブ挿通部を備えることについて説明する。
図１６は、この実施の形態のキャップ部が固定されたソケット部品を備えるソケット本体を、ランプの口金ピンと接触する接触片付近で、ランプ装着方向に対して垂直な断面を示した図である。
図１７は、この実施の形態のキャップ部と、キャップ部を固定するソケット部品とを備えるソケット本体の、ランプ装着方向の断面を示した図である。
図１８は、第２のチューブの内径を示す図である。
図１９は、この実施の形態のキャップ部と、キャップ部を固定したソケット部品とを備えるソケット本体の、ランプ装着方向の断面を示した図である。
【００４７】
図１６において、ソケット本体１に固定されたキャップ部品は、最外側に第２のチューブ停止部２７を備え、２番目の外側に第２のチューブ挿通部２６とを備えた。第２のチューブ挿通部２６は、第１のチューブ挿通部２３と同様にドカン状をしている。
図１７において、第２のチューブ挿通部２６は、図１５に示した円筒部２５と同様に、第１のチューブ挿通部２３の外周に設けられている。このため、第１のリング状パッキンを見えなくすることが可能である。また、第２のチューブ挿通部２６は、図１８に示す第２のチューブ９の内径Ｆ以下の外径Ｄ３を有し、第２のチューブ９の内側に挿通される。第２のチューブ挿通部２６を内側に挿通した第２のチューブ端面９２は、第２のチューブ停止部２７の備える第２の突き当て部２９１に突き当たり、第２のチューブ挿通部２６を挿通する動作を停止する。第２のチューブ停止部２７は、第２のチューブ９の内径Ｆよりも大きな外径Ｄ４を有する。また、第２のチューブ９の内径Ｆは、第１のチューブ６の外径よりも大きい。第２の突き当て部２９１の高さは（Ｄ４−Ｄ３）／２である。第１のチューブ６に第１のチューブ挿通部２３を挿通し、第２のチューブ９に第２のチューブ挿通部２６を挿通すると、図１９のように第１のチューブ６と第２のチューブ９との間に、空気層９１が出来る。
また、第２のチューブ停止部２７は、内側が図２のキャップ部ねじ込み部２１のように雌型のねじ状をしており、ソケット本体１は、雄型のねじ状をした本体ねじ込み部１１を備え、キャップ部２をソケット本体１に固定する際に、第２のチューブ停止部２７の内側のねじ状部分を本体ねじ込み部１１に締めつけて取り付ける。このように、第２のチューブ停止部２７の内側の形状を雌型のねじ状とすることにより、第２のチューブ停止部２７は図２に示した第１のチューブ停止部２４を兼ねる。キャップ部２のキャップ部パッキン３、ひっかけ部３１、抜け止め部３２、第１のリング状パッキン７、パッキン押さえ部品７１、キャップ部パッキン押さえ７２はそれぞれ、図２及び図７の同じ符号を付した要素と同様の構造しており、同様の動作を行うものである。
【００４８】
ランプ５及び、第１のリング状パッキン７、第１のチューブ６、第２のチューブ９、とを装着したキャップ部２をソケット本体１に固定した照明装置に用いた場合、第２のチューブ９の内径は、第１のチューブ６の外径より大きいので、第１のチューブ６を覆い囲むことができ、このため第２のチューブ９と第１のチューブ６との間に空気層を持つことが可能である。このように、空気層を設けることにより、第１のチューブ６のみを装着する場合と比較してさらにランプの表面温度を発光効率よい温度に維持できる。また、第２のチューブ挿通部２６の外径Ｄ３は、前記第２のチューブ９の内径Ｆ以下であり、第２のチューブ挿通部２６は、第２のチューブ９に挿通できるとともに移動可能であり、ランプ挿入面２８側の逆面２８１（ランプ挿入面２８及び逆面２８１は図２に図示あり）側の外径は、前記第２のチューブ９の内径Ｆよりも大きく、逆面２８１側に第２のチューブ９の挿通を不可能にする第２の突き当て部２９１を備える第２のチューブ停止部２７を備えた。このため、キャップ部を低温環境に合わせて変更することなく、第１のチューブ６を使用した場合と、第１のチューブ６と第２のチューブ９とを使用した場合との、２通りの使用状態を選択できる。また、２通りの使用状態に応じてキャップ部を変更する必要がないので、部品を共通化でき、金型費を削減することが可能である。
【００４９】
この実施の形態では、第１のチューブの外径より大きく、第１のチューブを覆い囲み第１のチューブとの間に空気層を持つことが可能な第２のチューブに対応して、ランプ挿入面側の外径は、前記第２のチューブの内径以下であり、第２のチューブに挿通できるとともに移動可能である第２のチューブ挿通部をもち、ランプ挿入面側の逆面側の外径は前記第２のチュ−ブ内径よりも大きく、第２のチューブが挿通不可能な第２のチューブ停止部を持つことを特徴とするキャップ部について説明した。
また、このキャップ部を固定するソケット部品を備えるソケットと、このソケットを少なくとも１対使用するとともに、ランプの外周を覆った円筒状の第１のチューブと、第１のチューブの外径よりも大きく、第１のチューブを覆い囲み第１のチューブとの間に空気層を持つことが可能な第２のチューブを使用したことを特徴とする照明装置とを説明した。
【００５０】
この実施の形態のキャップ部、このキャップ部を固定するソケット、及び、このソケットを少なくとも１対使用する照明装置は、以下の効果がある。
第１のチューブの外径より大きく、第１のチューブを覆い囲み第１のチューブとの間に空気層を持つことが可能な第２のチューブに対応して、ランプ挿入面側の外径が前記第２のチューブの内径以下であり、第２のチューブに挿通できるとともに移動可能である第２のチューブ挿通部をもち、ランプ挿入面側の逆面側の外径は前記第２のチュ−ブ内径よりも大きく、第２のチューブが挿通不可能な第２のチューブ停止部を持つキャップ部にしたので、低温環境が更に低い場合でも、キャップ部を変更することなく第１のチューブを使用した場合と、第１と第２のチューブを使用した場合の２通りについて使用でき、部品を共通化でき、金型費を削減することが可能である。
【００５１】
実施の形態６．
この実施の形態では、図１９に示したキャップ部がさらに、第２のリング状パッキンを備えることを説明する。
図２０は、この実施の形態のキャップ部と、キャップ部を固定したソケット部品とを備えるソケット本体の、ランプ装着方向の断面を示した図である。
図２０において、第２のチューブ挿通部２６は、第２のリング状パッキン７４を配置する溝７５を備え、溝７５に、第２のリング状パッキン７４をはめる。溝７５と第２のリング状パッキン７４を備えることの他は、図１７及び図１９に示したキャップ部と同様であるものとする。
【００５２】
第２のリング状パッキン７４は、第２のチューブ９の内径よりも大きい外径を有して、第２のチューブ挿通部２６上に配置した防水性のあるパッキンである。このため、第２のチューブ９に、第２のリング状パッキンを装着した第２のチューブ挿通部２６を挿通すると、第２のチューブ９の内側と第２のリング状パッキンとが密着して、第２のチューブ９内の保温効果を高められる。このため、このキャップ部は、第１のチューブ６のみを装着する場合よりも、さらに低温の環境で使用することが可能である。
【００５３】
この実施の形態では、キャップ部の第２のチューブ挿通部に第２のチューブの内径よりも大きい外径を有して、第２のチューブ挿通部上に配置した防水性のある第２のリング状パッキンを備えたことを特徴としたキャップ部を説明した。
【００５４】
また、上記したキャップ部を固定するソケット部品を備えるソケットを少なくとも１対使用して、ランプの外周を覆った円筒状の第１のチューブと、第１のチューブの外径よりも大きい外径を有して第１のチューブを覆い囲み第１のチューブとの間に空気層を持つことが可能な第２のチューブを使用した照明装置に用いる。
【００５５】
この実施の形態のキャップ部、このキャップ部を固定するソケット、及び、このソケットを少なくとも１対使用する照明装置は、以下の効果を備える。
キャップ部は、第２のチューブ挿通部に第２のチューブの内径よりも大きい外径を有して、第２のチューブ挿通部上に配置した防水性のある第２のリング状パッキンを備えたので、第２のチューブ内の保温効果を高められるので、より低温の環境で使用することが可能である。
【００５６】
また、上記したキャップ部を固定するソケットを少なくとも１対使用するとともに、ランプの外周を覆った円筒状の第１のチューブと第１のチューブの外径よりも大きく、第１のチューブを覆い囲み第１のチューブとの間に空気層を持つことが可能な第２のチューブを使用したので、第２のチューブが片側のソケット側へ片寄りにくくなる。
【００５７】
実施の形態７．
この実施の形態では、キャップ部をソケットに固定させるキャップ部の部分について説明する。
図２１は、この実施の形態のキャップ部と、キャップ部を固定するソケット部品とを備えるソケット本体の、ランプ装着方向断面を示した図である。
図２１において、キャップ部つめ部２１１は、キャップ部をソケットに固定するための部品であって、図２のキャップ部ねじ込み部２１に対応する。また、ソケットつめ受け部２１２は、ソケットにキャップ部を固定させるためにソケット部品が備えるものであり、図２の本体ねじ込み部１１に対応する。
図２１に示したように、キャップ部をソケットに固定する部品は、ねじ込み式ではなく、突起部を有するキャップ部つめ部２１１と、突起部がはめ込まれるくぼみを有するソケットつめ受け部２１２とによるはめ込み式の構造でもかまわない。キャップ部をソケットに固定する部品は、固定させる際に利用者が容易に操作することができ、確実に固定されて、容易には外れることがない構造がよい。
【００５８】
また、図２に示す第１のチューブ停止部２４は、逆面２８１側に第１のチューブ挿通部２３の外周に円筒状に設けられていた。図２２は、この実施の形態のキャップ部と、キャップ部を固定するソケット部品とを備えるソケット本体を、ランプ装着方向の断面を正面から示した図である。（ａ）は、所定の間隔毎にキャップ部つめ部を設けたキャップ部断面を示し、（ｂ）は、円状に連続してつながったキャップ部つめ部を設けたキャップ部断面を示す。図２１に示したキャップ部つめ部２１１を内側に有する第１のチューブ停止部２４は、図２の第１のチューブ停止部２４と同様に、図２２（ｂ）に示すように逆面２８１側に第１のチューブ挿通部２３の外周に円筒状に設けられている。或いは、図２２（ａ）に示すように、逆面２８１側に第１のチューブ挿通部２３の外周に所定の間隔毎に複数設けられていてもかまわない。図２２（ａ）のように、キャップ部つめ部を設けた場合、ソケットつめ受け部２１２は、円状に連続してつながったソケットつめ受け部２１２を備えるか、或いは、キャップ部つめ部２１１の位置と一致する位置にソケットつめ受け部２１２を備えるか、いずれでもかまわない。
【００５９】
また、図２、図２２に一例示した以外の形状をした部品によって、キャップ部をソケットに固定するようにしてもかまわない。キャップ部をソケットに固定する部品は、固定させる際に利用者が容易に操作することができ、確実に固定されて、容易には外れることがない構造がよい。
【００６０】
実施の形態８．
この実施の形態では、キャップ部品の取り付け方法について説明する。
図２３は、キャップ部品取り付け工程のフローチャート図である。
図２３に示した工程により取り付けを行うキャップ部品とソケット部品は、図２に示したキャップ部２とソケット本体１である。
図２３において、はじめに第１のチューブ６にランプ５を通す（Ｓ１）。次に、第１のチューブ６にランプ５が通った状態のまま、第１のチューブ６の内側に第１のチューブ挿通部２３を挿通する。この時、キャップ部２は、第１の突き当て部２９を有する第１のチューブ停止部２４を備えているので、第１のチューブ６の端部が第１の突き当て部２９に突き当たることにより、突き当たった後は第１のチューブ挿通部２３を挿通することができなくなる。この状態になるまで、第１のチューブ６の内側に第１のチューブ挿通部２３を挿通する（Ｓ２）。Ｓ２の工程が終了した時点では、また、ランプ５はソケットに接続されていない。このため、次に、ランプ５の口金ピンをソケットの接触片４に取り付ける（Ｓ３）。Ｓ３の工程が終了した時点では、ランプ５とソケットとは接続されているが、キャップ部はまだソケットに取り付けられていない。このため、次に、キャップ部品をソケットに取り付ける。キャップ部のキャップ部ねじ込み部２１と、ソケットの本体ねじ込み部１１とは雌型雄型のねじ状をしているため、これらのキャップ部ねじ込み部２１と本体ねじ込み部１１とを位置合わせして、キャップ部ねじ込み部２１を回転させると、キャップ部をソケットに固定できる（Ｓ４）。
このように、キャップ部は上記したＳ１〜Ｓ４の工程によりソケットに取り付けることが出来る。
【００６１】
このとき、キャップ部パッキン３は、ランプをキャップ部２に通す前に既にキャップ部の内側にセットされているものとする。また、ランプ５の口金ピンをソケットの接触片に接続する際にキャップ部パッキン３の内側にランプ挿通方向にランプを挿通して、その後、口金ピンをソケットの接触片と接続する。キャップ部パッキン３とランプ５の側面とは、キャップ部２をソケット本体１に固定した際、図６のようにキャップ部パッキン３が変形して、密着する。
【００６２】
また、照明装置は、キャップ部品とソケットとを組にしたものを少なくとも１対使用するものである。このため、１つの照明装置にはキャップ部品とソケットとを組にしたものが２つあることになる。上記したＳ１〜Ｓ４の工程は、１組のキャップ部品とソケットを取り付けるものであるため、１つの照明装置にこの発明のキャップ部品を使用する場合には、Ｓ１〜Ｓ４の工程を２回行うことになる。しかし、Ｓ１〜Ｓ４の工程を１組毎に行うか、１組毎に１つの工程を交互に行うかは利用者が任意に決定できる。
【００６３】
また、第１のリング状パッキン７は、第１のチューブ６に第１のチューブ挿通部２３を挿通する前（Ｓ２の前）に、第１のチューブ挿通部２３の外周上にセットしておく。この場合、パッキン押さえ部品７１とキャップ部パッキン押さえ７２とは、第１のリング状パッキン７とともに、第１のチューブ挿通部２３の外周上にセットしておく。
【００６４】
また、第２のチューブ挿通部２６は、キャップ部をソケットに固定する前（Ｓ４）に、第２のチューブ９に挿通させれば、Ｓ３の前であっても、Ｓ３の後であっても、いずれでもかまわない。
【００６５】
また、第２のリング状パッキン７４は、第２のチューブに第２のチューブ挿通部２６を挿通させる前に、第２のチューブ挿通部２６の外周上にセットしておく。
【００６６】
このように、この実施の形態で説明したキャップ部品のとりつけ方法では、ランプをソケット本体に接続する際、第１のチューブには第１のチューブ挿通部が挿通されているので、ランプの口金ピンとソケットの接触片とに注目して接続を行えばよく、キャップ部品をソケットに固定させる際には、第１のチューブには第１のチューブ挿通部が挿通されているとともに、ランプとソケットとは接続されているので、キャップ部ねじ込み部と本体ねじ込み部とに注目して固定させる動作を行えばよく、取り付ける際に注目する部品の数が少ないので、取り付け作業を容易に行えるとともに、確実に行うことが可能となる。
【図面の簡単な説明】
【００６７】
【図１】実施の形態１のキャップ部が固定されたソケット部品を備えるソケット本体を、ランプの口金ピンと接触する接触片付近で、ランプ装着方向に対して垂直な断面を示した図である。
【図２】実施の形態１のキャップ部と、キャップ部を固定するソケット部品とを備えるソケット本体の、ランプ装着方向の断面を示した図である。
【図３】第１のチューブの内径を示す図である。
【図４】実施の形態１のランプの両端をそれぞれキャップ部のランプ挿通部に通し、第１のチューブの両端がそれぞれキャップ部の第１のチューブ挿通部に挿通した状態を示す図である。
【図５】実施の形態１のランプと第１のチューブとを挿通したキャップ部をソケットに固定する前の状態を示す図である。
【図６】実施の形態１のキャップ部がソケット本体に取り付けられた状態（正規使用状態）を示す図である。
【図７】実施の形態３のキャップ部と、キャップ部を固定するソケット部品とを備えるソケット本体の、ランプ装着方向の断面を示した図である。
【図８】実施の形態３のランプの両端をそれぞれキャップ部のランプ挿通部に通し、第１のチューブの両端にはそれぞれキャップ部の第１のチューブ挿通部を挿通した状態を示す図である。
【図９】実施の形態３のランプと第１のチューブとを挿通したキャップ部をソケットに固定する前の状態を示す図である。
【図１０】実施の形態３のキャップ部がソケット本体に取り付けられた状態（正規使用状態）を示す図である。
【図１１】実施の形態３の１部品で第１のリング状パッキンを配置するキャップ部の一例を示す図であり、（ａ）は第１のリング状パッキンを配置した図を示し、（ｂ）は第１のリング状パッキンを配置する前の図を示している。
【図１２】図１１に示したキャップ部を使用するソケットにおいて、ランプの両端をそれぞれキャップ部のランプ挿通部に通し、第１のチューブの両端にはそれぞれキャップ部の第１のチューブ挿通部を挿通した状態を示す図である。
【図１３】円筒部を備えていないキャップ部であって、第１のリング状パッキンを備えたキャップ部を使用する照明装置を示す図である。
【図１４】実施の形態４のキャップ部が固定されたソケット部品を備えるソケット本体を、ランプの口金ピンと接触する接触片付近で、ランプ装着方向に対して垂直な断面を示した図である。
【図１５】実施の形態４のキャップ部が固定したソケット部品を備えるソケット本体の、ランプ装着方向の断面を示した図である。
【図１６】実施の形態５のキャップ部が固定されたソケット部品を備えるソケット本体の、ランプの口金ピンと接触する接触片付近で、ランプ装着方向に対して垂直な断面を示した図である。
【図１７】実施の形態５のキャップ部と、キャップ部を固定するソケット部品とを備えるソケット本体の、ランプ装着方向の断面を示した図である。
【図１８】第２のチューブの内径を示す図である。
【図１９】実施の形態５のキャップ部と、キャップ部を固定したソケット部品とを備えるソケット本体の、ランプ装着方向の断面を示した図である。
【図２０】実施の形態６のキャップ部と、キャップ部を固定したソケット部品とを備えるソケット本体の、ランプ装着方向の断面を示した図である。
【図２１】実施の形態７のキャップ部と、キャップ部を固定するソケット部品とを備えるソケット本体の、ランプ装着方向の断面を示した図である。
【図２２】実施の形態７のキャップ部と、キャップ部を固定するソケット部品とを備えるソケット本体の、ランプ装着方向の断面を示した図であり、（ａ）は所定の間隔毎にキャップ部つめ部を設けたキャップ部断面を示し、（ｂ）は円状に連続するようにつながったキャップ部つめ部を設けたキャップ部断面を示す。
【図２３】実施の形態８のキャップ部品取り付け工程のフローチャート図である。
【符号の説明】
【００６８】
１  ソケット本体、２  キャップ部、３  キャップ部パッキン、４  接触片、６  第１のチューブ、７  第１のリング状パッキン、８  照明装置本体、９  第２のチューブ、１１  本体ねじ込み部、２１  キャップ部ねじ込み部、２２  ランプ挿通部、２３  第１のチューブ挿通部、２４  第１のチューブ停止部、２５  円筒部、２５ａ，２５ｂ  円筒部端部、２６  第２のチューブ挿通部、２７  第２のチューブ停止部、２８  ランプ挿入面、２９  第１の突き当て部、３１  ひっかけ部、３２  抜け止め部、６１  第１のチューブ端面、７１  パッキン押さえ部品、７２  キャップ部パッキン押さえ、７３，７５  溝、７４  第２のリング状パッキン、９１  空気層、９２  第２のチューブ端面、２１１  キャップ部つめ部、２１２  ソケットつめ受け部、２８１  逆面、２９１  第２の突き当て部、３１０  パッキン挿入穴。
【図１】
2007207722.tif 000003
【図２】
2007207722.tif 000004
【図３】
2007207722.tif 000005
【図４】
2007207722.tif 000006
【図５】
2007207722.tif 000007
【図６】
2007207722.tif 000008
【図７】
2007207722.tif 000009
【図８】
2007207722.tif 000010
【図９】
2007207722.tif 000011
【図１０】
2007207722.tif 000012
【図１１】
2007207722.tif 000013
【図１２】
2007207722.tif 000014
【図１３】
2007207722.tif 000015
【図１４】
2007207722.tif 000016
【図１５】
2007207722.tif 000017
【図１６】
2007207722.tif 000018
【図１７】
2007207722.tif 000019
【図１８】
2007207722.tif 000020
【図１９】
2007207722.tif 000021
【図２０】
2007207722.tif 000022
【図２１】
2007207722.tif 000023
【図２２】
2007207722.tif 000024
【図２３】
2007207722.tif 000025